(57)【要約】【課題】電子部品の搭載が安定し、かつ、搭載高さの低減を図った電子装置及び電子部品搭載用の基板を提供する。【解決手段】電子部品１０が、電子部品本体１１及び該電子部品本体１１から突出した端子１２から成る。この電子部品１０を搭載する基板２０には、本体用穴２１Ａが設けられている。そして、電子部品１０は、その電子部品本体１１が本体用穴２１Ａに嵌められ、かつ、電子部品本体１１が本体用穴２１Ａの周縁で支持された状態で、基板２０に搭載されている。さらに、端子１２が端子用穴２１Ｂに、基板２０に対して斜め方向に、貫通された状態で搭載されている。【選択図】      図５
2005012039.tif 000002
【特許請求の範囲】
【請求項１】
電子部品本体及び該電子部品本体から突出した端子から成る電子部品と、該電子部品を搭載する基板とを備えた電子装置であって、
前記基板には、本体用穴が設けられ、
前記電子部品は、当該電子部品本体が前記本体用穴に嵌められ、かつ、前記本体用穴の周縁で支持された状態で、前記基板に搭載されている
ことを特徴とする電子装置。
【請求項２】
請求項１記載の電子装置であって、
前記基板には、端子用穴が設けられ、
前記電子部品は、当該端子が、前記基板に対して斜め方向に、前記端子用穴に貫通された状態で搭載され、
前記端子は、前記端子用穴の周縁に設けたハンダランドと電気接続されている
ことを特徴とする電子装置。
【請求項３】
請求項２記載の電子装置であって、
前記基板には、前記本体用穴の周縁から、前記端子用穴が突出した状態で、前記本体用穴と前記端子用穴が一体に設けられている
ことを特徴とする電子装置。
【請求項４】
請求項３記載の電子装置であって、
前記本体用穴は略四角形であり、
前記端子用穴は、前記本体用穴の周縁を構成する辺のうち、互いに対向する一対の辺にそれぞれ突出して設けられている
ことを特徴とする電子装置。
【請求項５】
電子部品を搭載する基板であって、
略コの字状の穴が設けられている
ことを特徴とする電子部品搭載用の基板。
【請求項６】
電子部品を搭載する基板であって、
Ｈ状の穴が設けられている
ことを特徴とする電子部品搭載用の基板。
【発明の詳細な説明】
【０００１】
【発明の属する技術分野】
この発明は、電子装置及び電子部品搭載用の基板に係わり、特に、電子部品本体及び該電子部品本体から突出した端子から成る電子部品と、該電子部品を搭載する基板とを備えた電子装置及び電子部品を搭載する基板に関する。
【０００２】
【従来の技術】
上述した電子部品１０は、図６（ａ）に示すように、電子部品本体１１及びこの本体から突出した端子１２から構成されている。この端子１２は、補強用の端子台１２Ａと、この端子台１２Ａから引き出された導線部１２Ｂとを有している。また、基板２０には、抜穴２１が設けられており、この抜穴２１の周縁にハンダランド２２が設けられている。上述した電子部品１０は、一般的に、図６（ａ）及び（ｂ）の右側に示すように、その端子１２が円状の抜穴２１に、基板２０に対して垂直に、貫通された状態で搭載されている（例えば特許文献１）。
【０００３】
また、図６（ａ）及び（ｂ）の左側に示すように、その端子１２が楕円状の抜穴２１に、基板２１に対して斜め方向に、貫通された状態で搭載されているものも知られている。このようにすれば、端子台１２Ａがある場合、端子台１２Ａを斜めにした分、基板２０より電子部品本体１１側の搭載高さを下げることができる。
【０００４】
【特許文献１】
特開平９−１９１１７３号公報
【０００５】
【発明が解決しようとする課題】
しかしながら、上述したような斜め方向の電子部品の搭載方法では、電子部品の固定が不安定となり、振動により電子部品が破損する可能性がある。また、従来から電子部品の搭載高さをさらに小さくしたいという要望があった。
【０００６】
そこで、本発明は、上記のような問題点に着目し、電子部品の搭載が安定し、かつ、搭載高さの低減を図った電子装置及び電子部品搭載用の基板を提供することを課題とする。
【０００７】
【課題を解決するための手段】
上記課題を解決するためになされた請求項１記載の発明は、電子部品本体及び該電子部品本体から突出した端子から成る電子部品と、該電子部品を搭載する基板とを備えた電子装置であって、前記基板には、本体用穴が設けられ、前記電子部品は、当該電子部品本体が前記本体用穴に嵌められ、かつ、前記本体用穴の周縁で支持された状態で、前記基板に搭載されていることを特徴とする電子装置に存する。
【０００８】
請求項１記載の発明によれば、電子部品は、電子部品本体及び該電子部品本体から突出した端子から成る。この電子部品を搭載する基板には、本体用穴が設けられている。そして、電子部品は、電子部品本体が本体用穴に嵌められ、かつ、本体用穴の周縁で支持された状態で、基板に搭載されている。従って、電子部品本体が本体用穴の周縁で支持されているため、電子部品本体が強固に固定される。また、基板より電子部品本体側の搭載高さは、電子部品本体が本体用穴に嵌められた分だけ、低くなる。
【０００９】
請求項２記載の発明は、請求項１記載の電子装置であって、前記基板には、端子用穴が設けられ、前記電子部品は、当該端子が、前記基板に対して斜め方向に、前記端子用穴に貫通された状態で搭載され、前記端子は、前記端子用穴の周縁に設けたハンダランドと電気接続されていることを特徴とする電子装置に存する。
【００１０】
請求項２記載の発明によれば、基板に、端子用穴が設けられている。電子部品は、その端子が、基板に対して斜め方向となるように、端子用穴に貫通された状態で搭載されている。従って、基板より端子側の搭載高さも、端子を斜めにした分だけ、低くすることができる。
【００１１】
請求項３記載の発明は、請求項２記載の電子装置であって、前記基板には、前記本体用穴の周縁から、前記端子用穴が突出した状態で、前記本体用穴と前記端子用穴が一体に設けられていることを特徴とする電子装置に存する。
【００１２】
請求項３記載の発明によれば、本体用穴の周縁から、端子用穴が突出した状態で、本体用穴と端子用穴とが一体に設けられている。従って、本体用穴と端子用穴とが一体に設けられていることにより、電子部品の端子を大きな本体用穴を通って端子穴に貫通させればよく、端子を貫通させる作業が容易となる。しかも、本体用穴の周縁から端子用穴を突出することにより、本体用穴の周縁うち端子用穴が突出していない部分で、電子部品本体を支持することができ、本体用穴から電子部品本体が抜け落ちることがない。
【００１３】
請求項４記載の発明は、請求項３記載の電子装置であって、前記本体用穴は略四角形であり、前記端子用穴は、前記本体用穴の周縁を構成する辺のうち、互いに対向する一対の辺にそれぞれ突出して設けられていることを特徴とする電子装置に存する。
【００１４】
請求項４記載の発明によれば、本体用穴は略四角形である。端子用穴が、本体用穴の周縁を構成する辺のうち、互いに対向する一辺にそれぞれ設けられている。従って、一対の辺のうち、一の辺から突出した端子用穴にも、他の辺から突出した端子用穴にも端子を貫通させることができる。
【００１５】
請求項５記載の発明は、電子部品を搭載する基板であって、略コの字状の穴が設けられていることを特徴とする電子部品搭載用の基板に存する。
【００１６】
請求項５記載の発明によれば、基板には、略コの字状の穴が設けられている。従って、略コの字状の穴は、本体用穴の一辺から２つの端子用穴が突出して一体に設けられた形状とみなすことができ、電子部品本体を本体用穴に嵌め込み、電子部品本体から突出している２つの端子を端子用穴に、斜め方向に貫通させれば、電子部品本体が強固に固定され、また、搭載高さを低くすることができる。
【００１７】
請求項６記載の発明は、電子部品を搭載する基板であって、Ｈ状の穴が設けられていることを特徴とする電子部品搭載用の基板を存する。
【００１８】
請求項６記載の発明は、基板には、略Ｈ状の穴が設けられている。従って、略Ｈ状の穴は、本体用穴の対向する一対の辺からそれぞれ２つの端子用穴が突出して設けられた形状とみなすことができ、電子部品本体を本体用穴に嵌め込み、電子部品本体から突出している２つの端子を端子用穴に、斜め方向に貫通させれば、電子部品本体が強固に固定され、また、搭載高さを、低くすることができる。しかも、一対の辺のうち、一の辺から突出した端子用穴にも、他の辺から突出した端子用穴にも端子を貫通させることができる。
【００１９】
【発明の実施の形態】
以下、本発明による電子装置について、図面を参照して説明する。図１は、本発明の電子装置に用いられる電子部品の斜示図である。図２（ａ）及び（ｂ）は、本発明の電子部品搭載用の基板の一実施の形態を示す上面図及び下面図である。図３は、図１に示す電子部品１０を図２に示す基板２０に搭載する際の手順を示す断面図である。また、図４（ａ）及び（ｂ）は、本発明の電子装置の正面図及び背面図である。
【００２０】
図１に示すように、本発明に用いられる電子部品１０は、円柱形の電子部品本体１１及びこの電子部品本体１１から突出した２つの端子１２から構成されている。この２つの端子１２は、それぞれ補強用の端子台１２Ａと、この端子台１２Ａから引き出された導線部１２Ｂとを有している。
【００２１】
また、基板２０には、図２に示すように、Ｈ状の抜穴２１が設けられている。このＨ状の抜穴２１は、略四角形状の本体用穴２１Ａと、４つの端子用穴２１Ｂとから構成されている。この端子用穴２１Ｂは、本体用穴２１Ａの周縁を構成する辺のうち、互いに対向する一対の辺に各々突出した状態で、設けられている。また、基板２０の下面には、端子用穴２１Ｂの周縁にハンダランド２２が設けられている（図２（ｂ）参照）。
【００２２】
以上のような基板２０に対して、電子部品１０は、図３に示す手順で搭載させる。まず、電子部品１０の端子１２を、基板２０と垂直方向に、本体用穴２１Ｂに挿入する（図３（ａ））。そして、電子部品本体１１が、本体用穴２１Ｂの周縁で支持されるように位置合わせるする（図３（ｂ））。その後、端子１２が基板２０に対して斜め方向になるように、電子部品本体１１を回転させて、導線部１２Ｂがハンダランド２２に接触するように調整する。そして、接触した後、導線部１２Ｂとハンダランド２２とを半田付けして、電気接続をする（図３（ｃ））。
【００２３】
従って、図３（ｃ）及び図４に示すように、電子部品１０は、その電子部品本体１１が、本体用穴２１Ａに嵌められ、かつ、電子部品本体１１が本体用穴２１Ａの周縁ので支持された状態で、基板２０に搭載されている。また、端子１２は、基板２０に対して斜め方向に、端子用穴２１Ｂに貫通された状態で搭載され、その導線部１２Ｂがハンダランド２２と半田によって電気接続される。
【００２４】
以上の電子装置によれば、電子部品本体１１が本体用穴２１Ａの周縁で支持されているため、電子部品本体１１が強固に固定される。また、基板２０から電子部品本体１１側の搭載高さは、図５に示すように、従来に比べて電子部品本体１１を本体用穴２１Ａに嵌めた分だけ、低くなる。
【００２５】
また、以上の電子装置によれば、電子部品１０は、その端子１２が、基板２０に対して斜め方向となるように、端子用穴２１Ｂに貫通された状態で搭載されている。このため、例えば、図３（ｂ）に示すように、端子１２が基板２０に対して垂直方向になるように、抜穴２１に貫通した状態のまま搭載した場合に比べて、端子１２を斜めにした分、基板２０から端子１２側の搭載高さも低くすることができる。しかも、ハンダランド２２と電気接続するまでの導線部１２Ｂ長を最短にすることができ、導線部１２Ｂでの断線も起こりにくい。
【００２６】
また、以上の電子装置によれば、本体用穴２１Ａと端子用穴２１Ｂとが一体に、つまり、一つの抜穴２１として設けられている。このため、電子部品１０の端子１２を大きい本体用穴２１Ａに挿入した後、端子用穴２１Ｂに斜めに貫通させることができ、作業が容易となる。しかも、本体用穴２１Ａの周縁から端子用穴２１Ｂを突出することにより、本体用穴２１Ａの周縁うち端子用穴２１Ｂが突出していない部分で、電子部品本体１１を支持することができ、本体用穴２１Ａから電子部品本体１１が抜け落ちることがない。
【００２７】
なお、上述した実施形態によれば、端子用穴２１Ｂを、本体用穴２１Ａの互いに対向する一対の辺にそれぞれ設けて、抜穴２１をＨ状にしている。これにより、端子１２を図３に示す紙面右側の端子用穴２１Ａに挿入するだけでなく、紙面左側の端子用穴２１Ａに挿入することも可能となり、電子部品１０の配置の自由度を高めている。しかしながら、例えば、図３に示す紙面左側に設けた端子用穴２１Ａを除去して、抜穴２１をコの字状に形成することも考えられる。
【００２８】
以上実施の形態に基づいて本発明を説明したが、本発明は上述した実施の形態に限定されるものでなく、本発明の要旨の範囲内で、上述したように種々の変形や応用が可能である。
【００２９】
【発明の効果】
以上説明したように、請求項１記載の発明によれば、電子部品本体が本体用穴の周縁で支持されているため、電子部品本体が強固に固定される。また、基板より電子部品本体側の搭載高さは、電子部品本体が本体用穴に嵌められた分だけ、低くなるので、電子部品の固定が安定し、かつ、搭載高さの低減を図った電子装置を得ることができる。
【００３０】
請求項２記載の発明によれば、基板より端子側の搭載高さも、端子を斜めにした分だけ、低くすることができるので、より一層、搭載高さの低減を図った電子装置を得ることができる。
【００３１】
請求項３記載の発明によれば、本体用穴と端子用穴とが一体に設けられていることにより、電子部品の端子を大きな本体用穴を通って端子穴に貫通させればよく、端子を貫通させる作業が容易となる。しかも、本体用穴の周縁から端子用穴を突出することにより、本体用穴の周縁うち端子用穴が突出していない部分で、電子部品本体を支持することができ、本体用穴から電子部品本体が抜け落ちることがない電子装置を得ることができる。
【００３２】
請求項４記載の発明によれば、一対の辺のうち、一の辺から突出した端子用穴にも、他の辺から突出した端子用穴にも端子を貫通させることができるので、電子部品の配置の自由度を向上を図った電子装置を得ることができる。
【００３３】
請求項５記載の発明によれば、略コの字状の穴は、本体用穴の一辺から２つの端子用穴が突出して一体に設けられた形状とみなすことができ、電子部品本体を本体用穴に嵌め込み、電子部品本体から突出している２つの端子を端子用穴に、斜め方向に貫通させれば、電子部品本体が強固に固定され、また、搭載高さを低くすることができるので、電子部品の固定が安定し、かつ、搭載高さの低減を図った電子部品搭載用の基板を得ることができる。
【００３４】
請求項６記載の発明によれば、略Ｈ状の穴は、本体用穴の対向する一対の辺からそれぞれ２つの端子用穴が突出して設けられた形状とみなすことができ、電子部品本体を本体用穴に嵌め込み、電子部品本体から突出している２つの端子を端子用穴に、斜め方向に貫通させれば、電子部品本体が強固に固定され、また、搭載高さを、低くすることができるので、電子部品の固定が安定し、かつ、搭載高さの低減を図ることができる。しかも、一対の辺のうち、一の辺から突出した端子用穴にも、他の辺から突出した端子用穴にも端子を貫通させることができるので、電子部品の配置の自由度を向上を図った電子部品搭載用の基板を得ることができる。
【図面の簡単な説明】
【図１】本発明の電子装置に用いられる電子部品の斜示図である。
【図２】（ａ）及び（ｂ）は、本発明の電子部品搭載用の基板の一実施の形態を示す上面図及び下面図である。
【図３】図１に示す電子部品１０を図２に示す基板２０に搭載する際の手順を示す断面図である。
【図４】（ａ）及び（ｂ）は、本発明の電子装置の正面図及び背面図である。
【図５】本発明の電子装置と従来の電子装置の一例とを比較した断面図である。
【図６】（ａ）は、従来の電子装置の一例を示す断面図である。（ｂ）は、従来の電子部品搭載用の基板の一例を示す下面図である。
【符号の説明】
１０    電子部品
１１    電子部品本体
１２    端子
２０    基板
２１    抜穴（穴）
２１Ａ  本体用穴
２１Ｂ  端子用穴
２２    ハンダランド
【図１】
2005012039.tif 000003
【図２】
2005012039.tif 000004
【図３】
2005012039.tif 000005
【図４】
2005012039.tif 000006
【図５】
2005012039.tif 000007
【図６】
2005012039.tif 000008